(57)【要約】      （修正有）【課題】テレビ本体に対するスタンド機構の取付作業に危険が伴い、梱包品に傷が付く虞もあった。梱包品に傷が付く虞のないテレビの梱包構造を提供する。【解決手段】梱包箱は、下箱３１と、下箱３１に被せられる上箱とから構成されている。下箱３１の左端部には左端部アド５が、幅方向の中央部には中央部アド６が、右端部には右端部アド７がそれぞれ収納される。各アド５，６，７は、スタンド台座による支持位置よりも高い位置にテレビ本体を支持する。中央部アド６は、テレビ本体の下部を前側から覆う前側アドと、後側から覆う後側アドとで構成されている。前側アドは、テレビ本体の前面側から下面にかけてを覆うＬ字の断面形状を有している。後側アドは、テレビ本体の後面側を覆う平板状を呈している。前側アドの先端部は、スタンド台座の載置体に嵌め合わされる形状を有している。【選択図】図２
2013126887.tif 000002
【特許請求の範囲】
【請求項１】
テレビ本体の幅方向の中央部がスタンド台座で支持されるテレビの梱包構造であって、
展開可能に形成された下箱と上箱とで構成される梱包箱と、
前記下箱内の幅方向の端部に収容されて前記テレビ本体を支持する一対の端部アドと、
前記下箱内の幅方向の中央部に収容される中央部アドとを備え、
該中央部アドは、前後に分割してそれぞれ前記テレビ本体の前側及び後側から取り外せるよう構成されて、前記テレビ本体に前記スタンド台座を取付可能に形成されていることを特徴とする梱包構造。
【請求項２】
前記中央部アドの前側に分割される部分には、前記スタンド台座の載置体に嵌め合わされる嵌合部が形成されていることを特徴とする請求項１に記載の梱包構造。
【請求項３】
前記下箱は、後面の幅方向中央部に形成されて、前記中央部アドを前記下箱から取り出す開口を形成するための第１のミシン目を備えることを特徴とする請求項１又は２に記載の梱包構造。
【請求項４】
前記下箱の左右の側部に形成されて、前記端部アドを前記下箱から取り出す開口を形成するための第２のミシン目を備えることを特徴とする請求項１〜３の何れかに記載の梱包構造。
【発明の詳細な説明】
【技術分野】
【０００１】
本発明は、テレビ本体の幅方向中央部がスタンド台座で支持されるテレビの梱包構造に関する。
【背景技術】
【０００２】
特許文献１では、直方体状の外殻の内部に左右一対の緩衝体を収容し、平面表示装置を保護している。梱包装置を開梱する際には、平面表示装置の画面が天井側を向くように外殻を倒して外殻の下面を開き、平面表示装置と共に緩衝体を一部引き出す。そして、平面表示装置の脚部に載置体を装着してから平面表示装置を外殻ごと起こして載置体の下面を床面に接触させ、外殻を取り外すとともに、緩衝体を平面表示装置の側部から取り外す。
【０００３】
特許文献２では、梱包箱が下部パッケージケースと下部パッケージケースに被せられる上部パッケージケースとで構成されており、薄型表示装置は緩衝材で梱包箱内に位置決めされている。梱包箱の開封時には、梱包箱の裏面にミシン目を切り開いて開口が形成され、梱包箱内の薄型表示装置に開口を通してスタンド機構が取り付けられる。その後、上部パッケージケースが下部パッケージケースから取り外され、薄型表示装置から下部パッケージケース及び緩衝材が取り外される。
【先行技術文献】
【特許文献】
【０００４】
【特許文献１】特開２００４−１２３２００号公報
【特許文献２】特開２００６−１６０３３５号公報
【発明の概要】
【発明が解決しようとする課題】
【０００５】
上記特許文献１の梱包構造では、表示装置が梱包された梱包箱の姿勢を変えて載置体を取り付けなければならず、作業に危険が伴い、梱包品に傷が付く虞もあった。また、特許文献２の梱包構造では、表示装置が大型モデル等で表示装置の幅方向の中央部にも緩衝材を取り付けなければならない場合には、スタンド機構を取り付ける際に表示装置を緩衝材や梱包箱から持ち上げて取り外す必要があった。このため、この梱包構造でも、スタンド機構の取付作業に危険が伴い、梱包品に傷が付く虞もあった。
【０００６】
本発明は斯かる課題に鑑みてなされたもので、上記課題を解決できるテレビの梱包構造を提供することを目的とする。
【課題を解決するための手段】
【０００７】
このような目的を達成するために、本発明のテレビの梱包構造は、テレビ本体の幅方向の中央部がスタンド台座で支持されるテレビの梱包構造であって、展開可能に形成された下箱と上箱とで構成される梱包箱と、前記下箱内の幅方向の端部に収容されて前記テレビ本体の幅方向の端部を支持する一対の端部アドと、前記下箱内の幅方向の中央部に収容される中央部アドとを備え、該中央部アドは、前後に分割してそれぞれ前記テレビ本体の前側及び後側から取り外せるよう構成されて、前記テレビ本体に前記スタンド台座を取付可能に形成されていることを特徴とする。
また、本発明は、前記中央部アドの前側に分割される部分には、前記スタンド台座の載置体に嵌め合わされる嵌合部が形成されていることを特徴とする。
また、本発明は、前記下箱は、後面の幅方向中央部に形成されて、前記中央部アドを前記下箱から取り出す開口を形成するための第１のミシン目を備えることを特徴とする。
また、本発明は、前記下箱の左右の側部に形成されて、前記端部アドを前記下箱から取り出す開口を形成するための第２のミシン目を備えることを特徴とする。
【発明の効果】
【０００８】
本発明によれば、テレビ本体をアドで支持した状態でスタンド台座の取付と開封を行うことができるので、スタンド機構の取付作業に危険が伴い、梱包品に傷が付くのを防止できる。
【図面の簡単な説明】
【０００９】
【図１】本発明の一実施形態のテレビの梱包構造を部分的に示す斜視図である。
【図２】図１の下箱側を示す分解斜視図である。
【図３】中央部アドを示す斜視図である。
【図４】中央部アドを示す断面図である。
【図５】本発明の一実施形態のテレビの梱包構造を示す断面図である。
【図６】下箱が展開された状態を示す斜視図である。
【図７】テレビ本体からの後側アドの取外方法を示す側面図である。
【図８】テレビ本体に対するスタンド台座の組付方法を示す側面図である。
【図９】テレビ本体からの端部アドの取外方法を示す側面図である。
【発明を実施するための形態】
【００１０】
以下、図面を参照して、本発明の一実施形態を説明する。
【００１１】
図１に示す本実施形態の梱包構造では、テレビ本体１の幅方向の中央部の裏面にスタンド台座２（図５参照）が取り付けられるテレビが梱包される。スタンド台座２は、テレビ本体１から分離されて梱包箱３に梱包される。
【００１２】
梱包箱３は、下箱３１と、この下箱３１に被せられる上箱３２（図５参照）とから構成されている。図２に示すように、下箱３１の左端部には左端部アド５が、幅方向中央部には中央部アド６が、右端部には右端部アド７がそれぞれ収納される。上箱３２にも幅方向の中央部及び左右の端部にアド４（図５参照）が収納される。なお、左端部アド５，中央部アド６，右端部アド７、及び上箱３２内に収容されるアド４は、梱包品を梱包箱３内に支持する緩衝材である。
【００１３】
左端部アド５は、テレビ本体１の左端部を収容する収容室を備えた四角ブロック状を呈しており、スタンド台座２による支持位置よりも高い位置にテレビ本体１を支持する。収容室に収容されたテレビ本体１は、前面，後面，下面、及び左側面が左端部アド５で覆われる。
【００１４】
右端部アド７は、テレビ本体１の右端部を収容する収容室を備えた四角ブロック状を呈しており、スタンド台座２による支持位置よりも高い位置にテレビ本体１を支持する。収容室に収容されたテレビ本体１は、前面，後面，下面、及び右側面が右端部アド７で覆われる。
【００１５】
中央部アド６は、図３に示すように、テレビ本体１の下部を前側から覆う前側アド６１と、後側から覆う後側アド６２とで構成されている。前側アド６１は、図４に示すように、テレビ本体１の前面側から下面にかけてを覆うＬ字の断面形状を有しており、スタンド台座２による支持位置よりも高い位置にテレビ本体１を支持する。後側アド６２は、テレビ本体１の後面側を覆う平板状を呈しており、テレビ本体１の下面側に延びた前側アド６１が嵌め合わされる嵌合部を下端部に備えている。前側アド６１のテレビ本体１の下面側に延びた部分は、スタンド台座２の載置体２１に嵌め合わされる形状を有している。
【００１６】
梱包箱３にテレビを梱包する際には、まず、左端部アド５，中央部アド６，及び右端部アド７を展開された下箱３１の底板に配置し、下箱３１を箱状に組み立てる。次に、テレビ本体１を下部の左端部が左端部アド５に、中央部が中央部アド６に、右端部が右端部アド７にそれぞれ嵌め合わされるように下箱３１内に配置する。各アド５，６，７が取り付けられたテレビ本体１は、下箱３１の底板からスタンド台座２による支持位置よりも高い位置で支持される。
【００１７】
続いて、スタンド台座２等を左端部アド５，中央部アド６，又は右端部アド７に形成された嵌合部に嵌めて固定する。次に、テレビ本体１の上部の左端部，中央部，右端部にそれぞれアド４を嵌め合わせる。このとき、スタンド台座２等が各アド４〜７の嵌合部に嵌め合わされるようにする。続いて、下箱３１に上箱３２を被せて、テレビ本体１を上箱３２で覆う。
【００１８】
テレビ本体１は、図５に示すように、下箱３１内の左端部アド５，中央部アド６，及び右端部アド７と、上箱３２内のアド４とで梱包箱３内に位置決めされる。また、スタンド台座２等は、上箱３２側のアド４及び下箱３１側のアド５，６，７に嵌め合わされる等して梱包箱３内に固定される。
【００１９】
テレビの梱包を解く時には、上箱３２を下箱３１から外して、テレビ本体１の上部に嵌め合わされたアド４を取り外し、図６に示すように、下箱３１を展開させる。続いて、図７に示すように、中央部アド６の前側アド６１から後側アド６２を分離し、前側アド６１をテレビ本体１の後側から取り外す。その後、テレビ本体１は、幅方向の中央部を前側アド６１で支持される。
【００２０】
次に、図８に示すように、前側アド６１のテレビ本体１の下面側に延びた箇所に嵌め合わされるようにスタンド台座２の載置体２１をテレビ本体１の下側に進入させ、テレビ本体１の後面にスタンド台座２を取り付ける。
【００２１】
テレビ本体１の後面にスタンド台座２を取り付ける際には、スタンド台座２の載置体２１が下箱３１の底板から浮き上がった状態となる。このため、テレビ本体１の荷重がスタンド台座２にかからない状態で取付作業が行われる。
【００２２】
スタンド台座２の取り付けが済んだら、前側アド６１をテレビ本体１の前側から取り外し、続いて、図９に示すように、左端部アド５及び右端部アド７をテレビ本体１の左側及び右側から取り外す。
【００２３】
本実施形態によれば、中央部アド６を前後に分割してテレビ本体１の前側及び後側から取り外すことで、端部アド５，７及び前側アド６１からテレビ本体１を取り外さずに、スタンド台座２をテレビ本体１に取り付けることができる。このため、スタンド機構の取付作業に危険が伴い、梱包品に傷が付くのを防止できる。
【００２４】
上記実施形態では、上箱３２を外して下箱３１を展開させた状態でテレビの梱包を解いたが、上箱３２及び下箱３１内にテレビ本体１が収納された状態でスタンド台座２をテレビ本体１に取り付けられるよう、スタンド台座２取付用の開口を形成するためのミシン目を上箱３２及び下箱３１の後面に設けてもよい。
【００２５】
この構成によれば、ミシン目を開いて形成した開口を通して、梱包箱３内のテレビ本体１の後面にスタンド台座２を取り付けることができる。このため、端部アド５，７及び中央部アド６が下箱３１で支持されてテレビ本体１の姿勢が安定した状態で作業を行うことができ、スタンド台座２取付作業の安全性をより高め、梱包品に傷が付くのも効果的に防止できる。
【００２６】
なお、ミシン目は下箱３１のみに設けて上箱３２を外した状態で作業を行うようにしてもよい。また、下箱３１の左右の側部に端部アド５，７を下箱３１から取り出す開口を形成するためのミシン目を設けてもよい。また、上箱３２には、左右の端部及び幅方向の中央部にアド４が収納されている必要はなく、左右の端部のみにアド４が収納されていてもよい。
【００２７】
また、上記実施形態では、下箱３１と上箱３２とが別体に形成されている場合について説明したが、梱包箱３が１つの箱体をミシン目を境に上下に分割して下箱３１と上箱３２とに分かれるよう構成されており、テレビの梱包を解く時に下箱３１と上箱３２とに分けて、上箱３１のみを取り外せるようにしてもよい。また、中央部アド６は、テレビ本体１の前面，後面，及び下面を覆っていればよく、テレビ本体１を支持している必要はない。
【符号の説明】
【００２８】
１          テレビ本体
２          スタンド台座
２１        載置体
３          梱包箱
３１        下箱
３２        上箱
４          アド
５          左端部アド
６          中央部アド
６１        前側アド
６２        後側アド
７          右端部アド
【図１】
2013126887.tif 000003
【図２】
2013126887.tif 000004
【図３】
2013126887.tif 000005
【図４】
2013126887.tif 000006
【図５】
2013126887.tif 000007
【図６】
2013126887.tif 000008
【図７】
2013126887.tif 000009
【図８】
2013126887.tif 000010
【図９】
2013126887.tif 000011